(57)【要約】      （修正有）【課題】負担軽減ユニットを交換することで、さまざまな負荷に対応できる負担軽減式バックパックを提供する。【解決手段】負担軽減式バックパックは、バックパック本体１、負担軽減パネル２、負担軽減ユニット、２本のショルダーハーネス４及び支持板を備え、負担軽減ユニットは、ばね機構と中空ハウジング３３を備え、ハウジング３３がバックパック本体１の後部に取り付けられ、ばね機構がハウジング３３の内部に取り外し可能に設けられ、ばね機構は、圧縮ばね３１と伸縮棒３２を備え、圧縮ばね３１は、伸縮棒３２に套設されて制限され、伸縮棒３２の第１端は負担軽減パネル２の下端に取り外し可能に接続され、負担軽減パネル２の上端はショルダーハーネス４の上端に接続される。負担軽減式バックパックは、負担軽減ユニットの圧縮ばね３１を交換することで、さまざまな負荷に対する使用要求を満たせる。【選択図】図２
0003228399.tif 000002
【実用新案登録請求の範囲】
【請求項１】
負担軽減式バックパックであって、
バックパック本体、負担軽減パネル、負担軽減ユニット、２本のショルダーハーネス、及び前記バックパック本体を支持する支持板を備え、前記バックパック本体の後部には、前記支持板が設けられ、前記負担軽減パネルは、前記バックパック本体の後部の背部に近い一側に設けられ、
前記負担軽減ユニットは、ばね機構と中空ハウジングを備え、前記ハウジングが前記バックパック本体の後部に取り付けられ、前記ばね機構が前記ハウジングの内部に取り外し可能に取り付けられ、
前記ばね機構は、圧縮ばねと伸縮棒を備え、前記圧縮ばねが前記伸縮棒に套設されて制限され、
前記ハウジング及び前記伸縮棒は、いずれも第１端と第２端の両端を備え、前記伸縮棒の第２端及び圧縮ばねは、いずれも前記ハウジングの内部に制限され、前記伸縮棒の第１端は、前記ハウジングの外に位置し、前記ハウジングの第１端に対して上下伸縮可能であり、
前記伸縮棒の第１端は前記負担軽減パネルの下端に取り外し可能に接続され、前記負担軽減パネルの上端は前記ショルダーハーネスの上端に接続され、前記ショルダーハーネスの下端は前記バックパック本体の背面の下端に接続される、
ことを特徴とする負担軽減式バックパック。
【請求項２】
前記ハウジングは、２つの治具を備え、各々の前記治具の内壁が外へ凸起してシュートとなり、２つの前記シュートは対向して設けられ、且つ、前記伸縮棒は、２つの前記シュートにより形成されたキャビティに上下伸縮可能に配置され、２つの前記治具は、それぞれ第１治具と第２治具であり、前記第１治具は、前記バックパック本体の後部に固定して取り付けられ、且つ、それにおけるシュートが前記バックパック本体から背離しており、前記第２治具は、前記第１治具に取り外し可能に取り付けられる、
ことを特徴とする請求項１に記載の負担軽減式バックパック。
【請求項３】
前記伸縮棒の第２端の底部には、ベースが設けられ、前記ベースは、２つの前記シュートにより形成されたキャビティに制限される、
ことを特徴とする請求項２に記載の負担軽減式バックパック。
【請求項４】
前記伸縮棒の第１端の最上部には、上下方向の凹溝が設けられ、前記負担軽減パネルの下端の厚さが前記凹溝の幅に適合し、前記負担軽減パネルの下端は、前記凹溝に取り外し可能に取り付けられる、
ことを特徴とする請求項１−３のいずれか１項に記載の負担軽減式バックパック。
【請求項５】
前記伸縮棒の上部には、接続部材を介して前記負担軽減パネルの下端を前記伸縮棒の第１端に取り外し可能に接続するための接続孔がさらに水平に設けられる、
ことを特徴とする請求項４に記載の負担軽減式バックパック。
【請求項６】
前記バックパック本体の後部の背部に近い一側の上端には、上下に貫通している制限スリーブがさらに設けられ、前記バックパック本体に対向する前記負担軽減パネルの一側には、弾性ベルトが縦方向に設けられ、前記弾性ベルトの上端は、前記負担軽減パネルの上端に接続され、前記弾性ベルトの下端は、前記制限スリーブを貫通して前記負担軽減パネルの下端に接続される、
ことを特徴とする請求項１−３のいずれか１項に記載の負担軽減式バックパック。
【請求項７】
前記バックパック本体の後部には、隔離層がさらに設けられ、前記支持板は前記隔離層の内部に設けられる、
ことを特徴とする請求項１−３のいずれか１項に記載の負担軽減式バックパック。
【請求項８】
前記バックパック本体の後部の背部に近い一側には、前記負担軽減パネルの前後、左右移動を制限する位置決め部がさらに設けられる、
ことを特徴とする請求項１−３のいずれか１項に記載の負担軽減式バックパック。
【請求項９】
前記位置決め部は、開口を上にしたポケットであり、前記負担軽減パネル及び負担軽減ユニットは、ともに前記ポケットに設けられ、前記ポケットに沿って上下伸縮可能である、
ことを特徴とする請求項８に記載の負担軽減式バックパック。
【請求項１０】
前記バックパック本体の後部の背部に近い一側には、それぞれ前記ポケットの両側に設けられた２つのパッドがさらに設けられている、
ことを特徴とする請求項９に記載の負担軽減式バックパック。
【請求項１１】
前記パッドは、前記ポケットに対する凸起である。
ことを特徴とする請求項１０に記載の負担軽減式バックパック。
【考案の詳細な説明】
【技術分野】
【０００１】
本考案は、バックパックの技術分野に関し、具体的には、負担軽減式バックパックに関する。
【背景技術】
【０００２】
リュックサックは、生活によく使用されている用品であり、両肩でバックパックを背負っているとき、ショルダーハーネスは、バックパックを背負うときの主な荷重部位であり、長時間背負うと、両肩を疲労させ、その結果、使用者の健康を損なう。ショルダーハーネスが硬すぎると、人の肩膀に大きな負荷を与えて不快さを引き起こし、一方、ショルダーハーネスが柔軟過ぎると、強度が重物を支えるのに不十分である。
【０００３】
肩部に与えるバックパックの負担を低減させるために、従来、リュックサックの下端にウエストベルトを取り付け、背負うときにウエストベルトを腰部に締めるのが一般的である。ウエストベルトを用いた方法では、人体の肩部への負荷低減に限りがあり、そして、バックパックに重い物が収納されているとき、ウエストベルトは、寛骨と摩擦して、不快さをもたらす。
【０００４】
現在、効果的な解決方法は、反重力を利用して負担を軽減させ、バックパックを背負うときの使用者の快適さを向上させることであり、たとえば、特許出願文献である反重力式リュックサック（ＣＮ１０５７４７４７７Ａ）で開示された技術案では、負担軽減パネル、第１弾性ベルト及び長さ限定ベルトが設けられることによって、使用者がバックパックを背負う過程において、バックパックが上下に振動して使用者に対して緩衝効果を果たし、それによって、負荷の使用者の肩部への伝達による圧迫感を低減させ、弾性ベルトにより生じる回復力によって使用者に必要な力を減少させるとともに、肩膀の負担を軽減させ、使用者が反重力の空間にいるようにし、それにより、使用者の快適さを向上させ、使用者が軽くて大きな力を必要とせずに歩けるようにする。
【０００５】
しかしながら、このような技術案では、弾性ベルト、負担軽減パネル、固定ベルトが安定的かつ確実に作動できるように、負担軽減パネル、第１弾性ベルト、長さ限定ベルト、バックパック本体の間の接続方式を固定接続にしなければならない。ただし、使用環境によってバックパックの荷重には大きな差異があるので、上記部材、特に第１弾性ベルトが使用環境に応じて交換できなければ、ユーザー体験が悪くなり、バックパックの負荷が定格負荷を超えると、第１弾性ベルトは酷く変形して長く引っ張られ、このとき、（人体）の背部に接触して力を受けるバックパックの背部の不快さを引き起こす恐れがある。
【考案の概要】
【考案が解決しようとする課題】
【０００６】
従来の負担軽減式バックパックがさまざまな負荷に対する使用要求を満たせないという技術的課題を解決するために、本考案は、負担軽減ユニットを交換することでさまざまな負荷に対する使用要求を満たせる新型負担軽減式バックパックを提供する。
【課題を解決するための手段】
【０００７】
上記目的を達成させるために、本考案による負担軽減式バックパックは、
バックパック本体、負担軽減パネル、負担軽減ユニット、２本のショルダーハーネス、及び前記バックパック本体を支持する支持板を備え、前記バックパック本体の後部には、前記支持板が設けられ、前記負担軽減パネルは、前記バックパック本体の後部の背部に近い一側に設けられ、
前記負担軽減ユニットは、ばね機構と中空ハウジングを備え、前記ハウジングが前記バックパック本体の後部に取り付けられ、前記ばね機構が前記ハウジングの内部に取り外し可能に取り付けられ、
前記ばね機構は、圧縮ばねと伸縮棒を備え、前記圧縮ばねが前記伸縮棒に套設されて制限され、
前記ハウジング及び前記伸縮棒は、いずれも第１端と第２端の両端を備え、前記伸縮棒の第２端及び圧縮ばねは、いずれも前記ハウジングの内部に制限され、前記伸縮棒の第１端は、前記ハウジングの外に位置し、前記ハウジングの第１端に対して上下伸縮可能であり、
前記伸縮棒の第１端は前記負担軽減パネルの下端に取り外し可能に接続され、前記負担軽減パネルの上端は前記ショルダーハーネスの上端に接続され、前記ショルダーハーネスの下端は前記バックパック本体の背面の下端に接続される
【０００８】
上記負担軽減式バックパックにおいて、前記ハウジングは、２つの治具を備え、各々の前記治具の内壁が外へ凸起してシュートとなり、２つの前記シュートは対向して設けられ、且つ、前記伸縮棒は、２つの前記シュートにより形成されたキャビティに上下伸縮可能に配置され、
２つの前記治具は、それぞれ第１治具と第２治具であり、前記第１治具は、前記バックパック本体の後部に固定して取り付けられ、且つ、それにおけるシュートが前記バックパック本体から背離しており、前記第２治具は、前記第１治具に取り外し可能に取り付けられる。
【０００９】
上記負担軽減式バックパックにおいて、前記伸縮棒の第２端の底部には、ベースが設けられ、前記ベースは、２つの前記シュートにより形成されたキャビティに制限される。
【００１０】
上記負担軽減式バックパックにおいて、前記伸縮棒の第１端の最上部には、上下方向の凹溝が設けられ、前記負担軽減パネルの下端の厚さが前記凹溝の幅に適合し、前記負担軽減パネルの下端は、前記凹溝に取り外し可能に取り付けられる。
【００１１】
上記負担軽減式バックパックにおいて、前記伸縮棒の上部には、接続部材を介して前記負担軽減パネルの下端を前記伸縮棒の第１端に取り外し可能に接続するための接続孔がさらに水平に設けられる。
【００１２】
上記負担軽減式バックパックにおいて、前記バックパック本体の後部の背部に近い一側の上端には、上下に貫通している制限スリーブがさらに設けられ、前記バックパック本体に対向する前記負担軽減パネルの一側には、弾性ベルトが縦方向に設けられ、前記弾性ベルトの上端は、前記負担軽減パネルの上端に接続され、前記弾性ベルトの下端は、前記制限スリーブを貫通して前記負担軽減パネルの下端に接続される。
【００１３】
上記負担軽減式バックパックにおいて、前記バックパック本体の後部には、隔離層がさらに設けられ、前記支持板は前記隔離層の内部に設けられる。
【００１４】
上記負担軽減式バックパックにおいて、前記バックパック本体の後部の背部に近い一側には、前記負担軽減パネルの前後、左右移動を制限する位置決め部がさらに設けられる。
【００１５】
上記負担軽減式バックパックにおいて、前記位置決め部は、開口を上にしたポケットであり、前記負担軽減パネル及び負担軽減ユニットは、ともに前記ポケットに設けられ、前記ポケットに沿って上下伸縮可能である。
【００１６】
上記負担軽減式バックパックにおいて、前記バックパック本体の後部の背部に近い一側には、それぞれ前記ポケットの両側に設けられた２つのパッドがさらに設けられている。
【００１７】
上記負担軽減式バックパックにおいて、前記パッドは、前記ポケットに対する凸起である。
【考案の効果】
【００１８】
従来技術に比べて、本考案は、下記有益な効果を有する。
【００１９】
負担軽減ユニットのばね機構がハウジングの内部に取り外し可能に設けられ、且つ、伸縮棒の第１端が負担軽減パネルの下端に取り外し可能に接続されることによって、本考案に係る負担軽減式バックパックが別の負荷環境（たとえば過負荷）で使用される場合、使用者は、伸縮棒の第１端を負担軽減パネルの下端から分離し、ばね機構をハウジングの内から取り外し、次に伸縮棒に套設された元の圧縮ばねを新しいこの別の負荷環境（たとえば過負荷）に対する使用要求を満たす圧縮ばねに交換し、負担軽減ユニットを再び組み立て、組み立て済みの負担軽減ユニットをバックパック本体に取り付ければよく、したがって、本考案に係る負担軽減式バックパックは、負担軽減ユニットの圧縮ばねを交換することでさまざまな負荷での使用要求を満たせる。
【図面の簡単な説明】
【００２０】
【図１】本考案の実施例に係る負担軽減式バックパックの構造模式図である。
【図２】本考案の実施例に係るポケットを取り外した負担軽減式バックパックの構造模式図である。
【図３】本考案の実施例に係る負担軽減式バックパックの第１治具の一例の構造模式図である。
【図４】本考案の実施例に係る負担軽減式バックパックの別の第１治具の構造模式図である。
【図５】本考案の実施例に係る負担軽減式バックパックの伸縮棒の構造模式図である。
【図６】本考案の別の実施例に係る負担軽減式バックパックの第１治具の構造模式図である。
【図７】本考案の別の実施例に係る負担軽減式バックパックの伸縮棒の構造模式図である。
【考案を実施するための形態】
【００２１】
以下、図面及び実施例にて本考案の特定実施形態をさらに詳細に説明する。以下の実施例は、本考案を説明するために過ぎず、本考案の範囲を限制するものではない。
【００２２】
図１〜図５に示されるように、本考案による負担軽減式バックパックは、バックパック本体１、負担軽減パネル２、負担軽減ユニット、２本のショルダーハーネス４及びバックパック本体１を支持する支持板を備え、バックパック本体の後部には、支持板が設けられ、負担軽減パネル２は、バックパック本体１の後部の（使用者）背部に近い一側に設けられ、
負担軽減ユニットは、ばね機構と中空ハウジング３３を備え、ハウジング３３がバックパック本体１の後部に取り付けられ、ばね機構がハウジング３３の内部に取り外し可能に設けられ、
ばね機構は、圧縮ばね３１と伸縮棒３２を備え、圧縮ばね３１が伸縮棒３２に套設されて制限され、
ハウジング３３及び伸縮棒３２は、いずれも第１端と第２端の両端を備え、伸縮棒の第２端３２２及び圧縮ばね３１は、いずれもハウジング３３の内部に制限され、伸縮棒の第１端３２１は、ハウジング３３外に位置し、ハウジング３３の第１端に対して上下伸縮可能であり、
伸縮棒の第１端３２１は、負担軽減パネル２の下端に取り外し可能に接続され、負担軽減パネル２の上端はショルダーハーネス４の上端に接続され、ショルダーハーネス４の下端はバックパック本体１の背面の下端に接続される。
【００２３】
負担軽減ユニットのばね機構がハウジング３３の内部に取り外し可能に設けられ、且つ、伸縮棒の第１端３２１が負担軽減パネル２の下端に取り外し可能に接続されることによって、本考案に係る負担軽減式バックパックが別の負荷環境（たとえば過負荷）で使用される場合、使用者は、伸縮棒の第１端３２１を負担軽減パネル２の下端から分離し、ばね機構をハウジング３３の内から取り外し、次に伸縮棒３２に套設された元の圧縮ばね３１を新しいこの別の負荷環境（たとえば過負荷）に対する使用要求を満たす圧縮ばね３１に交換し、負担軽減ユニットを再び組み立て、組み立て済みの負担軽減ユニットをバックパック本体１に取り付ければよい。
【００２４】
図２〜図５に示されるように、ハウジング３３は、２つの治具を備え、各々の治具の内壁が外へ凸起してシュート３３１０となり、２つのシュート３３１０は対向して設けられ、且つ、伸縮棒３２は、２つのシュート３３１０により形成されたキャビティに上下伸縮可能に配置され、好ましくは、２つのシュート３３１０により形成されたキャビティで伸縮棒３２が自在に伸縮できるように、２つの治具の構造が同じ又は略同じである。
【００２５】
２つの治具の取り付け位置関係の説明の便宜のため、ここで、２つの治具をそれぞれ第１治具３３１及び第２治具とし、第１治具３３１は、バックパック本体１の後部に固定して取り付けられ、且つ、それにおけるシュート３３１０がバックパック本体１から背離しており、第２治具は、第１治具３３１に取り外し可能に取り付けられる。
【００２６】
第１治具３３１及び第２治具としてこのような形態を採用すると、ばね機構がハウジング３３の内部に取り外し可能に設けられるという技術的効果を達成できるだけでなく、ハウジング３３の設計や着脱にも寄与する。
【００２７】
図５に示されるように、伸縮棒の第２端３２２の底部には、ベース３２４が設けられ、ベース３２４は、２つのシュート３３１０により形成されたキャビティに制限され、それによって、本考案の実施例に係る負担軽減式バックパックの安全性や使用性が確保される。
【００２８】
図２〜図５に示されるように、各々の治具の下部には、ベースの下方への移動ストロークを制限するための底板３３１４が設けられ、各々の治具の上端部について「絞まり」操作を行うことで、圧縮ばね３１が制限される。
【００２９】
図２、図５に示されるように、伸縮棒の第１端３２１の最上部には、上下方向の凹溝３２５が設けられ、負担軽減パネル２の下端の厚さが凹溝３２５の幅ａに適合し、負担軽減パネル２の下端は、凹溝３２５に取り外し可能に取り付けられる。凹溝３２５が設けられることによって、負担軽減パネル２と負担軽減ユニットを取り外し可能にするという技術目的を達成させるだけでなく、負担軽減パネル２と伸縮棒３２の接続後の安定性や信頼性を確保し、さらにバックパックの使用性や安全性を確保することができる。
【００３０】
図２、図５に示されるように、伸縮棒３２の上部には、接続部材を介して負担軽減パネル２の下端を伸縮棒の第１端３２１に取り外し可能に接続するための接続孔３２６がさらに水平に設けられ、好ましくは、接続孔３２６は２つ以上であり、それによって、負担軽減ユニットを取り外し可能にする場合、バックパックの安全性が最大限に確保できる。
【００３１】
バックパック本体１の後部の（使用者）背部に近い一側の上端には、上下に貫通している制限スリーブ（図示せず）がさらに設けられ、バックパック本体１に対向する負担軽減パネル２の一側には、弾性ベルトが縦方向に設けられ、弾性ベルトの上端は、負担軽減パネル２の上端に接続され、弾性ベルトの下端は、制限スリーブを貫通して負担軽減パネル２の下端に接続され、制限スリーブは、負担軽減パネル２に対して一定の制限作用を果たし、弾性ベルトは、本考案の実施例に係る負担軽減式バックパックの負担軽減効果をさらに向上できる。
【００３２】
好ましくは、本考案の実施例に係る負担軽減式バックパックのバックパック本体１の後部には、隔離層がさらに設けられ、支持板は隔離層の内部に設けられ、それによって、バックパックの外観性を向上させるとともに、バックパックの耐用年数を延ばす。
【００３３】
図１及び図２に示されるように、バックパック本体１の後部の（使用者）背部に近い一側には、負担軽減パネル２の前後、左右移動を限制する位置決め部がさらに設けられる。
【００３４】
好ましくは、位置決め部は、開口を上にしたポケット１１であり、負担軽減パネル２及び負担軽減ユニットは、ともにポケット１１に設けられ、ポケット１１に沿って上下伸縮可能である。
【００３５】
図１及び図２に示されるように、バックパック本体１の後部の（使用者）背部に近い一側には、それぞれポケット１１の両側に設けられた２つのパッド１２が設けられ、好ましくは、パッド１２は、ポケット１１に対する凸起である。それによって、バックパックを使用するときに、気流がバックパックと使用者の背部との間を流れ、バックパックの通気性が確保され、バックパックの使用過程における快適さが良好になる。
【００３６】
図６及び図７に示されるように、別の実施形態では、上記実施形態に比べて、負担軽減ユニットは、各々の治具の内側には、シュート３３１０を第１領域３３１１と第２領域３３１２に分割するための制限板３３１３が設けられ、２つの制限板３３１３が対称的に設けられる点が異なる。
【００３７】
伸縮棒３２には、制限部３２３が設けられ、制限部３２３は、２つの第１領域３３１１により形成されたキャビティに制限され、圧縮ばね３１は、ハウジング３３の第１端と制限部３２３との間に制限され、このとき、伸縮棒の第２端３２２の底部に設けられたベース３２４は、２つの第２領域３３１２により形成されたキャビティに制限され、２つの制限板３３１３には、伸縮棒が制限板３３１３から貫通することを容易にするための第２凹溝３３１５が設けられ、２つの第２凹溝３３１５は対称的に設けられる。制限板３３１３、制限部３２３及びベース３２４が設けられることによって、本考案の実施例に係る負担軽減式バックパックの安全性や使用性が最大限に確保される。
【００３８】
前記のとおり、本考案に係る負担軽減式バックパックでは、負担軽減ユニットのばね機構がハウジング３３の内部に取り外し可能に設けられ、且つ、伸縮棒の第１端３２１が負担軽減パネル２の下端に取り外し可能に接続されることによって、本考案に係る負担軽減式バックパックが別の負荷環境（たとえば過負荷）で使用される場合、使用者は、伸縮棒の第１端３２１を負担軽減パネル２の下端から分離し、ばね機構をハウジング３３の内から取り外し、次に伸縮棒３２に套設された元の圧縮ばね３１を、新しいこの別の負荷環境（たとえば過負荷）に対する使用要求を満たす圧縮ばね３１に交換し、負担軽減ユニットを再び組み立て、組み立て済みの負担軽減ユニットをバックパック本体１に取り付ければよく、したがって、本考案に係る負担軽減式バックパックは、負担軽減ユニットの圧縮ばね３１を交換することでさまざまな負荷での使用要求を満たせる。
【００３９】
以上は、本考案の好適実施形態に過ぎず、なお、当業者であれば、本考案の技術的原理を逸脱することなく、いくつかの改良や置換を行うことができ、これら改良や置換も本考案の実用新案登録請求の範囲とみなされるべきである。
【符号の説明】
【００４０】
１：バックパック本体
１１：ポケット
１２：パッド
２：負担軽減パネル
３１：圧縮ばね
３２：伸縮棒
３２１：伸縮棒の第１端
３２２：伸縮棒の第２端
３２３：制限部
３２４：ベース
３２５：凹溝
３２６：接続孔
３３：ハウジング
３３１：第１治具
３３１０：シュート
３３１１：第１領域
３３１２：第２領域
３３１３：制限板
３３１４：底板
３３１５：第２凹溝
４：ショルダーハーネス
【図１】
0003228399.tif 000003
【図２】
0003228399.tif 000004
【図３】
0003228399.tif 000005
【図４】
0003228399.tif 000006
【図５】
0003228399.tif 000007
【図６】
0003228399.tif 000008
【図７】
0003228399.tif 000009